(57)【特許請求の範囲】
【請求項１】
遠隔制御収納用具に取り付けられた電子錠を制御するセキュリティシステムであって、
前記遠隔制御収納用具及びクライアント端末が設置されている部屋に利用者が在室しているか否かに関する在室情報を管理する入退室管理部と、
前記クライアント端末の利用者の認証を行う認証処理部と、
前記電子錠を遠隔制御する遠隔制御部と、を備え、
前記遠隔制御部は、前記認証処理部において前記クライアント端末の利用者の認証が成功した場合に、該利用者が前記部屋に在室しているか否かを前記入退室管理部に問い合わせ、該利用者が前記部屋に在室していることを示す情報が前記入退室管理部から取得されたときに、前記電子錠を解錠し、
前記電子錠の解錠後に、前記クライアント端末の利用者が前記部屋から退室したことを示す情報を前記入退室管理部から取得した場合には、予め利用者ごとに設定されている条件に応じて、電子錠を施錠し、または、電子錠の解錠状態の維持を決定すること
を特徴とするセキュリティシステム。
【請求項２】
遠隔制御収納用具に取り付けられた電子錠を制御するセキュリティシステムであって、
前記遠隔制御収納用具及びクライアント端末が設置されている部屋に利用者が在室しているか否かに関する在室情報を管理する入退室管理部と、
前記クライアント端末の利用者の認証を行う認証処理部と、
前記電子錠を遠隔制御する遠隔制御部と、を備え、
前記遠隔制御部は、前記認証処理部において前記クライアント端末の利用者の認証が成功した場合に、該利用者が前記部屋に在室しているか否かを前記入退室管理部に問い合わせ、該利用者が前記部屋に在室していることを示す情報が前記入退室管理部から取得されたときに、前記電子錠を解錠し、
前記電子錠の解錠後に、予め定められた利用者以外の利用者が前記部屋に入室したことを示す情報を前記入退室管理部から取得した場合には、前記利用者ごとに設定されている条件に応じて、電子錠を施錠し、または、電子錠の解錠状態の維持を決定すること
を特徴とするセキュリティシステム。
【請求項３】
請求項１または２に記載のセキュリティシステムであって、
前記在室情報は、利用者を識別する情報と、該利用者が入室した部屋を識別する情報と、を有し、
前記遠隔制御部は、利用者を識別する情報と、認証が成功した前記クライアント端末が設置されている部屋を識別する情報と、を含む在室確認要求を前記入退室管理部に送ることにより問い合わせ、
前記入退室管理部は、前記在室確認要求に含まれる利用者を識別する情報と、認証が成功した前記クライアント端末が設置されている部屋を識別する情報と、に一致する情報が前記在室情報にある場合には、前記利用者が前記部屋に在室していることを示す情報を前記遠隔制御部に送ること、
を特徴とするセキュリティシステム。
【請求項４】
請求項１または２に記載のセキュリティシステムであって、
前記遠隔制御部は、前記クライアント端末に対応付けられた遠隔制御収納用具の電子錠を解錠すること、
を特徴とするセキュリティシステム。
【請求項５】
請求項１または２に記載のセキュリティシステムであって、
前記遠隔制御部は、前記クライアント端末の利用を終了することを示す情報を前記クライアント端末から取得した場合に、前記電子錠を施錠すること、
を特徴とするセキュリティシステム。
【請求項６】
遠隔制御収納用具に取り付けられた電子錠を制御する制御方法であって、
前記遠隔制御収納用具及びクライアント端末が設置されている部屋に利用者が在室しているか否かに関する在室情報を取得する在室管理過程と、
前記クライアント端末の利用者の認証を行う認証過程と、
前記認証過程において前記クライアント端末の利用者の認証が成功した場合に、該利用者が前記部屋に入室しているか否かを前記在室管理過程において取得された在室情報で確認する入室確認過程と、
前記在室管理過程において、前記利用者が前記部屋に入室していると確認された場合に、前記電子錠を解錠する解錠過程と、
前記部屋から利用者が退室する情報を取得する退室管理過程と、
前記電子錠の解錠後に、前記退室管理過程において前記クライアント端末の利用者が退室する情報を取得した場合には、予め利用者ごとに設定されている条件に応じて、電子錠を施錠し、または、電子錠の解錠状態の維持を決定する決定過程と、を備えること、
を特徴とする制御方法。
【請求項７】
遠隔制御収納用具に取り付けられた電子錠を制御する制御方法であって、
前記遠隔制御収納用具及びクライアント端末が設置されている部屋に利用者が在室しているか否かに関する在室情報を取得する在室管理過程と、
前記クライアント端末の利用者の認証を行う認証過程と、
前記認証過程において前記クライアント端末の利用者の認証が成功した場合に、該利用者が前記部屋に入室しているか否かを前記在室管理過程において取得された在室情報で確認する入室確認過程と、
前記在室管理過程において、前記利用者が前記部屋に入室していると確認された場合に、前記電子錠を解錠する解錠過程と、
予め定められた利用者以外の利用者が前記部屋に入室する情報を取得するゲスト入室管理過程と、
前記電子錠の解錠後に、前記ゲスト入室管理過程において前記部屋に予め定められた利用者以外の利用者が入室する情報を取得した場合には、前記利用者ごとに設定されている条件に応じて、電子錠を施錠し、または、電子錠の解錠状態の維持を決定する決定過程と、を備えること、
を特徴とする制御方法。
【請求項８】
請求項６または７に記載の制御方法であって、
前記在室情報は、利用者を識別する情報と、該利用者が入室した部屋を識別する情報と、を有しており、
前記入室確認過程は、利用者を識別する情報と、認証が成功した前記クライアント端末が設置されている部屋を識別する情報と、に一致する情報が前記在室情報にあるか否かを確認するものであること、
を特徴とする制御方法。
【請求項９】
請求項６または７に記載の制御方法であって、
前記解錠過程は、前記クライアント端末に対応付けられた遠隔制御収納用具の電子錠を解錠するものであること、
を特徴とする制御方法。
【請求項１０】
請求項６または７に記載の制御方法であって、
前記クライアント端末の利用を終了する終了過程と、
前記終了過程において前記クライアント端末の利用を終了した場合に、前記電子錠を施錠する施錠過程と、をさらに備えること、
を特徴とする制御方法。
【請求項１１】
遠隔制御収納用具に取り付けられた電子錠を制御するサーバであって、
前記遠隔制御収納用具及びクライアント端末が設置されている部屋に利用者が在室しているか否かに関する在室情報を管理する入退室管理部と、
前記クライアント端末の利用者の認証を行う認証処理部と、
前記電子錠を遠隔制御する遠隔制御部と、を備え、
前記遠隔制御部は、前記認証処理部において前記クライアント端末の利用者の認証が成功した場合に、該利用者が前記部屋に在室しているか否かを前記入退室管理部に問い合わせ、該利用者が前記部屋に在室していることを示す情報が前記入退室管理部から取得されたときに、前記電子錠を解錠し、
前記電子錠の解錠後に、前記クライアント端末の利用者が前記部屋から退室したことを示す情報を前記入退室管理部から取得した場合には、予め利用者ごとに設定されている条件に応じて、電子錠を施錠し、または、電子錠の解錠状態の維持を決定すること
を特徴とするサーバ。
【請求項１２】
遠隔制御収納用具に取り付けられた電子錠を制御するサーバであって、
前記遠隔制御収納用具及びクライアント端末が設置されている部屋に利用者が在室しているか否かに関する在室情報を管理する入退室管理部と、
前記クライアント端末の利用者の認証を行う認証処理部と、
前記電子錠を遠隔制御する遠隔制御部と、を備え、
前記遠隔制御部は、前記認証処理部において前記クライアント端末の利用者の認証が成功した場合に、該利用者が前記部屋に在室しているか否かを前記入退室管理部に問い合わせ、該利用者が前記部屋に在室していることを示す情報が前記入退室管理部から取得されたときに、前記電子錠を解錠し、
前記電子錠の解錠後に、予め定められた利用者以外の利用者が前記部屋に入室したことを示す情報を前記入退室管理部から取得した場合には、前記利用者ごとに設定されている条件に応じて、電子錠を施錠し、または、電子錠の解錠状態の維持を決定すること
を特徴とするサーバ。
【請求項１３】
請求項１１または１２に記載のサーバであって、
前記在室情報は、利用者を識別する情報と、該利用者が入室した部屋を識別する情報と、を有し、
前記遠隔制御部は、利用者を識別する情報と、認証が成功した前記クライアント端末が設置されている部屋を識別する情報と、を含む在室確認要求を前記入退室管理部に送ることにより問い合わせ、
前記入退室管理部は、前記在室確認要求に含まれる利用者を識別する情報と、認証が成功した前記クライアント端末が設置されている部屋を識別する情報と、に一致する情報が前記在室情報にある場合には、前記利用者が前記部屋に在室していることを示す情報を前記遠隔制御部に送ること、
を特徴とするサーバ。
【請求項１４】
請求項１１または１２に記載のサーバであって、
前記遠隔制御部は、前記クライアント端末に対応付けられた遠隔制御収納用具の電子錠を解錠すること、
を特徴とするサーバ。
【発明の詳細な説明】
【技術分野】
【０００１】
本発明は、ネットワークを介して収納用具の解錠又は施錠を遠隔制御する技術に関する。
【背景技術】
【０００２】
特許文献１は、ロッカーの扉に設置された電磁錠を通信回線を介して遠隔制御する錠管理装置を設けて、ロッカーの利用者の利用時間やロッカーの大きさ等の利用条件に関する情報を取得して、この利用条件に対応させた利用料金を徴収することができる技術が開示されている。
【０００３】
【特許文献１】特開２００３−２２８７６６号公報
【発明の開示】
【発明が解決しようとする課題】
【０００４】
オフィス等においては、通常、個人のロッカー、書庫、机のワゴン等の鍵を利用者が個人的に管理しており、たとえ重要な書類や物が入っている場合でも、その管理は個人に委ねられ、その利用者が退室した場合でも、施錠されずに放置されている場合もあった。
【０００５】
ここで、特許文献１の技術をオフィス等における個人のロッカー、書庫、机のワゴン等に適用したとしても、利用状況を管理するにとどまり、オフィス等への利用者の入退室に関連させて、これらの管理を行うことはできない。
【０００６】
そこで、本発明は、オフィス等におけるロッカー、書庫、机のワゴン等の収納用具の錠の管理を利用者の入退室に関連させて行うことを目的とする。
【課題を解決するための手段】
【０００７】
以上の課題を解決するため、本発明は、収納用具及びクライアント端末が設置されている部屋への利用者の入退室情報と、このクライアント端末の利用者を識別する情報と、から当該クライアント端末の利用者が当該クライアント端末が設置された部屋に在室しているか否かを判断して、当該クライアント端末とともに部屋に設置されている収納用具に取り付けられている錠の遠隔制御を行う。
【０００８】
例えば、本発明は、遠隔制御収納用具に取り付けられた電子錠を制御するセキュリティシステムであって、前記遠隔制御収納用具及びクライアント端末が設置されている部屋に利用者が在室しているか否かに関する在室情報を管理する入退室管理部と、前記クライアント端末の利用者の認証を行う認証処理部と、前記電子錠を遠隔制御する遠隔制御部と、を備え、前記遠隔制御部は、前記認証処理部において前記クライアント端末の利用者の認証が成功した場合に、該利用者が前記部屋に在室しているか否かを前記入退室管理部に問い合わせ、該利用者が前記部屋に在室していることを示す情報が前記入退室管理部から取得されたときに、前記電子錠を解錠することを特徴とする。
【発明の効果】
【０００９】
以上のように、本発明によれば、利用者の在室状況に基づいて、ロッカー、書庫、机のワゴン等の収納用具の施錠又は解錠を制御しているため、利用者が退室している間に重要な書類や物が収納されている収納用具の錠が開いていることを防止することができる。
【発明を実施するための最良の形態】
【００１０】
図１は、本発明の一実施形態であるセキュリティシステム１００の概略図である。
【００１１】
図示するように、セキュリティシステム１００は、ドア錠制御装置１１０と、遠隔制御収納用具１２０と、クライアント端末１３０と、入退室サーバ１４０と、認証サーバ１５０と、を備えており、これらはＬＡＮ１６０で接続されている。
【００１２】
ドア錠制御装置１１０は、第一のカードリーダ１１１Ａと、第二のカードリーダ１１１Ｂと、カードリーダ制御部１１２と、ドア錠制御部１１３と、送受信部１１４と、を備えている。
【００１３】
第一のカードリーダ１１１Ａ及び第二のカードリーダ１１１Ｂは、利用者を識別する情報を読み取る読み取り部であって、本実施形態では、利用者が保持するＩＤカード（図示せず）に記憶されているユーザＩＤを読み取る装置を用いている。本実施形態では、ＩＤカードとして、ＩＣ（Integrated Circuit）チップ及びアンテナを有するＩＣカードを用いているため、これらのカードリーダとして無線を介してＩＣカードに記憶されている情報を読み取ることができるものを使用する。
【００１４】
なお、本実施形態では、第一のカードリーダ１１１Ａを室外に配置し、第二のカードリーダ１１１Ｂを室内に配置することで、利用者は、入室時に第一のカードリーダ１１１ＡにＩＤカードの情報を読み取らせ、退室時に第二のカードリーダ１１１ＢにＩＤカードの情報を読み取らせるようにしている。
【００１５】
また、ユーザＩＤは、このセキュリティシステム１００を利用する利用者を一意に識別することができる識別情報を用いればよい。
【００１６】
カードリーダ制御部１１２は、第一のカードリーダ１１１Ａ又は第二のカードリーダ１１１Ｂの処理を制御するとともに、これらで読み取られたユーザＩＤに部屋ＩＤを添付して入退室情報を生成し、後述する送受信部１１４を介して後述する入退室サーバ１４０に送信する。
【００１７】
ここで、部屋ＩＤは、第一のカードリーダ１１１Ａ及び第二のカードリーダ１１１Ｂにより入退室を管理する部屋を一意に識別する識別情報である。
【００１８】
ドア錠制御部１１３は、後述する入退室サーバ１４０の指令に応じて、ドアに取り付けられている電子錠（以下、ドア錠という）の解錠を行う。
【００１９】
具体的には、入退室サーバ１４０から解錠指令を受信した場合には、ドア錠の解錠を行い、認証エラーを受信した場合には、ドア錠の解錠は行わない。
【００２０】
なお、ドア錠制御部１１３は、感圧センサ（図示せず）や光センサ（図示せず）等のセンサから得られる信号を受信することで、ドアの開閉を検知することができるようにされており、ドアが開いた後に再び閉まった場合には、ドア錠の施錠を行う。
【００２１】
送受信部１１４は、ＬＡＮ１６０を介して情報の送受信を行う。
【００２２】
なお、このように構成されるドア錠制御装置１１０は、例えば、図７に示すように、ＣＰＵ（Central Processing Unit）２０１と、メインメモリ２０２と、補助記憶装置２０３と、ＮＩＣ（Network Interface Card）２０４と、Ｉ／Ｏコントローラ２０５と、これらを接続するバス２０６と、を備えるコンピュータ２００により実現可能である。
【００２３】
即ち、カードリーダ制御部１１２は、ハードディスク等の補助記憶装置２０３に記憶されている所定のプログラムをメインメモリ２０２に読み込みＣＰＵ２０１で実行することにより実現可能であり、また、ドア錠制御部１１３は、ハードディスク等の補助記憶装置２０３に記憶されている所定のプログラムをメインメモリ２０２に読み込みＣＰＵ２０１で実行することで生成された信号をＩ／Ｏコントローラ２０５で電子錠用の信号に変換することにより実現可能であり、さらに、送受信部１１４は、ＮＩＣ２０４により実現可能である。
【００２４】
遠隔制御収納用具１２０は、電子錠１２１と、電子錠制御部１２２と、送受信部１２３と、を備えており、その内部の空間に物（例えば、書類など）を収納することかできるとともに、その内部の空間にアクセスできないように電子錠１２１で鍵をかけることができるようにされている。
【００２５】
電子錠制御部１２２は、後述する認証サーバ１５０の指令に応じて、電子錠１２１の開閉を制御する。
【００２６】
送受信部１２３は、ＬＡＮ１６０を介して情報の送受信を行う。
【００２７】
なお、このように構成される遠隔制御収納用具１２０は、収納空間を有する収納用具に取り付けられた電子錠１２１を、例えば、図７に示すようなコンピュータ２００により制御することで実現可能である。即ち、電子錠制御部１２２は、ハードディスク等の補助記憶装置２０３に記憶されている所定のプログラムをメインメモリ２０２に読み込みＣＰＵ２０１で実行することで生成された信号をＩ／Ｏコントローラ２０５で電子錠１２１用の信号に変換することにより実現可能であり、さらに、送受信部１２３は、ＮＩＣ２０４により実現可能である。
【００２８】
クライアント端末１３０は、ログイン制御部１３１と、送受信部１３２と、入力部１３３と、表示部１３４と、を備えている。
【００２９】
ログイン制御部１３１は、クライアント端末１３０を利用する利用者のログイン処理を行う。
【００３０】
具体的には、まず、後述する入力部１３３及び表示部１３４を介して、利用者からユーザ名と暗証番号の入力を受け付け、これらの情報をＬＡＮ１６０に接続されているクライアント端末１３０毎に一意に定められたＰＣＩＤとともにログイン情報として、後述する認証サーバ１５０に送信する。そして、認証サーバ１５０からログイン認証の成功応答を受信した場合には、クライアント端末１３０を利用者が使用可能にし、ログイン認証の失敗応答を受信した場合には、再び利用者にユーザ名と暗証番号の入力を要求する。
【００３１】
ここで、本実施形態においては、ＬＤＡＰ（Lightweight Directory Access Protocol）を用いて利用者の管理を行うようにしているため、ＰＣＩＤとしてクライアント端末１３０のＩＰアドレスを用いているが、このような態様に限定されない。
【００３２】
送受信部１３２は、ＬＡＮ１６０を介して情報の送受信を行う。
【００３３】
入力部１３３は、キーボードやマウスといった入力装置である。
【００３４】
表示部１３４は、ディスプレイなどの表示装置である。
【００３５】
なお、このように構成されるクライアント端末１３０は、例えば、図８に示すように、ＣＰＵ２１１と、メインメモリ２１２と、補助記憶装置２１３と、ＮＩＣ２１４と、これらを接続するバス２１５と、を備えるコンピュータ２１０により実現可能である。即ち、ログイン制御部１３１は、ハードディスク等の補助記憶装置２１３に記憶されている所定のプログラムをメインメモリ２１２に読み込みＣＰＵ２１１で実行することにより実現可能であり、さらに、送受信部１３２は、ＮＩＣ２１４により実現可能である。
【００３６】
入退室サーバ１４０は、入退室管理テーブル１４１と、在室情報管理テーブル１４２と、入退室管理部１４３と、を備えている。
【００３７】
入退室管理テーブル１４１は、図２に示されているように、ユーザＩＤ入力欄１４１ａと、部屋ＩＤ入力欄１４１ｂと、を有している。
【００３８】
ユーザＩＤ入力欄１４１ａには、セキュリティシステム１００の利用者を一意に識別するためのユーザＩＤを入力する。
【００３９】
部屋ＩＤ入力欄１４１ｂには、ユーザＩＤで特定される利用者が正規の入室者として入室が認められる部屋の部屋ＩＤを入力する。ここで、本実施形態では、利用者が正規の入室者として入室が認められる部屋のＩＤを複数入力する場合には、部屋ＩＤ同士の間に「／」を挿入することで区別することができるようにしている。なお、ユーザＩＤで特定される利用者が部屋ＩＤ入力欄１４１ｂに登録されている部屋以外の部屋に入室した場合には、後述のように、ゲスト入室者が入室したこと又は退室したことを知らせる通知が認証サーバ１５０に送信される。
【００４０】
なお、入退室管理テーブル１４１には、セキュリティシステム１００を利用者が利用する前に必要な情報を登録しておく。
【００４１】
在室情報管理テーブル１４２は、図３に示されているように、ユーザＩＤ入力欄１４２ａと、在室ＩＤ入力欄１４２ｂと、を有している。
【００４２】
ユーザＩＤ入力欄１４２ａには、ドア錠制御装置１１０から送信されてきた入退室情報に含まれるユーザＩＤを入力する。
【００４３】
また、在室ＩＤ入力欄１４２ａには、ドア錠制御装置１１０から送信されてきた入退室情報に含まれる部屋ＩＤを入力する。
【００４４】
なお、在室情報管理テーブル１４２は、ドア錠制御装置１１０から入退室情報を受信した際に更新を行う。
【００４５】
入退室管理部１４３は、ドア錠制御装置１１０から、送受信部１４４を介して、入退室情報が送信されてきた場合には、その入退室情報に含まれるユーザＩＤが入退室管理テーブル１４１のユーザＩＤ入力欄１４１ａに登録されているか否かを判定し、登録されている場合にはドア錠制御装置１１０に解錠指令を送信し、登録されていない場合にはドア錠制御装置１１０に認証エラーを送信する。
【００４６】
また、入退室管理部１４３は、入退室情報が送信されてきた場合に、その入退室情報に含まれる部屋ＩＤを抽出し、入退室情報に含まれる部屋ＩＤが、入退室管理テーブル１４１のユーザＩＤに対応する部屋ＩＤ入力欄１４１ｂに登録されているか否かを判定する。そして、登録されている場合には、後述する在室情報管理テーブル１４２を参照して、入退室情報に含まれるユーザＩＤと部屋ＩＤの組が、在室情報管理テーブル１４２のユーザＩＤ入力欄１４２ａと在室ＩＤ入力欄１４２ｂに対応して登録されているか否かを判定し、これらのＩＤが在室情報管理テーブル１４２に登録されている場合には、認証サーバ１５０に利用者が退室した旨を通知する退室情報を部屋ＩＤとともに送信する。
【００４７】
一方、入退室管理部１４３は、入退室情報が送信されてきた場合に、その入退室情報に含まれる部屋ＩＤを抽出し、入退室情報に含まれる部屋ＩＤが、入退室管理テーブル１４１のユーザＩＤに対応する部屋ＩＤ入力欄１４１ｂに登録されていない場合には、入退室情報に含まれるユーザＩＤと部屋ＩＤが在室情報管理テーブル１４２に登録されているか否かを判定する。そして、入退室情報に含まれるユーザＩＤと部屋ＩＤが在室情報管理テーブル１４２に登録されていない場合には、後述する認証サーバ１５０にゲストが入室した旨を通知するゲスト入室情報を部屋ＩＤとともに送信し、登録されている場合には、ゲストが退室した旨を通知するゲスト退室情報を部屋ＩＤとともに送信する。
【００４８】
なお、入退室管理部１４３は、入退室情報に含まれるユーザＩＤと部屋ＩＤの組が、在室情報管理テーブル１４２のユーザＩＤ入力欄１４２ａと在室ＩＤ入力欄１４２ｂに登録されていない場合には、在室情報管理テーブル１４２に新たな行を作成して、これらのＩＤを同じ行に入力し、既に登録されている場合には、在室情報管理テーブル１４２からこれらのＩＤが入力されている行を削除する。
【００４９】
送受信部１４４は、ＬＡＮ１６０を介して情報の送受信を行う。
【００５０】
なお、このように構成される入退室サーバ１４０は、例えば、図８に示すようなコンピュータ２１０により実現可能である。即ち、入退室管理部１４３は、ハードディスク等の補助記憶装置２１３に記憶されている所定のプログラムをメインメモリ２１２に読み込みＣＰＵ２１１で実行することにより実現可能であり、また、入退室管理テーブル１４１及び在室情報管理テーブル１４２は、ハードディスク等の補助記憶装置２１３に所定の情報を記憶することにより実現可能であり、さらに、送受信部１４４は、ＮＩＣ２１４により実現可能である。
【００５１】
図１に示されているように、認証サーバ１５０は、ログイン情報テーブル１５１と、遠隔制御情報テーブル１５２と、アドレス情報テーブル１５３と、認証処理部１５４と、遠隔制御部１５５と、送受信部１５６と、入力部１５７と、表示部１５８と、を備える。
【００５２】
ログイン情報テーブル１５１は、図４に示されているように、ＰＣＩＤ入力欄１５１ａと、ユーザ名入力欄１５１ｂと、暗証番号入力欄１５１ｃと、を有している。
【００５３】
ＰＣＩＤ入力欄１５１ａには、ログインを行うクライアント端末１３０をＬＡＮ１６０において一意に識別するための識別情報であるＰＣＩＤを入力する。本実施形態では、クライアント端末１３０のＩＰアドレスを使用しているが、このような態様に限定されない。
【００５４】
ユーザ名入力欄１５１ｂには、クライアント端末１３０を使用する利用者が任意に定めるユーザ名を入力する。
【００５５】
暗証番号入力欄１５１ｃには、クライアント端末１３０を使用する利用者が任意に定める暗証番号を入力する。
【００５６】
遠隔制御情報テーブル１５２は、図５に示されているように、ユーザＩＤ入力欄１５２ａと、ＰＣＩＤ入力欄１５２ｂと、部屋ＩＤ入力欄１５２ｃと、解錠許可セキュリティレベル入力欄１５２ｄと、セキュリティレベル入力欄１５２ｅと、を有している。
【００５７】
ユーザＩＤ入力欄１５２ａには、前述したユーザＩＤを入力する。
【００５８】
ＰＣＩＤ入力欄１５２ｂには、前述したＰＣＩＤを入力する。
【００５９】
部屋ＩＤ入力欄１５２ｃには、前述した部屋ＩＤを入力する。
【００６０】
解錠許可セキュリティレベル入力欄１５２ｄには、遠隔制御収納用具１２０の電子錠１２１を解錠又は施錠するための条件を入力する。
【００６１】
本実施形態では、解錠許可セキュリティレベル入力欄１５２ｄに、「本人在室」の情報が入力されている場合には、ログインしたクライアント端末１３０の利用者が入室したとき（セキュリティレベル入力欄１５２ｅに「本人在室」と入力されたとき）に電子錠１２１が解錠され、ログインしたクライアント端末１３０の利用者が退室したとき（セキュリティレベル入力欄１５２ｅに「不在」と入力されたとき）に電子錠１２１が施錠される。
【００６２】
また、解錠許可セキュリティレベル入力欄１５２ｄに、「不在」の情報が入力されている場合には、ログインしたクライアント端末１３０の利用者が入室したとき（セキュリティレベル入力欄１５２ｅに「本人在室」と入力されたとき）に電子錠１２１が解錠され、ログインしたクライアント端末１３０の利用者が退室したとき（セキュリティレベル入力欄１５２ｅに「不在」と入力されたとき）でも電子錠１２１が施錠されない。
【００６３】
さらに、解錠許可セキュリティレベル入力欄１５２ｄに、「ゲスト許可」の情報が入力されている場合には、ログインしたクライアント端末１３０の利用者が入室したとき（セキュリティレベル入力欄１５２ｅに「本人在室」と入力されたとき）に電子錠１２１が解錠され、ログインしたクライアント端末１３０の利用者が退室したとき（セキュリティレベル入力欄１５２ｅに「不在」と入力されたとき）及びゲストが入室したとき（セキュリティレベル入力欄１５２ｅに「ゲスト入室」と入力されたとき）に電子錠１２１が施錠される。
【００６４】
セキュリティレベル入力欄１５２ｅには、前述のように、遠隔制御部１５５の指令に応じて、「本人在室」、「不在」又は「ゲスト入室」の情報が入力される。
【００６５】
なお、ユーザＩＤ入力欄１５２ａ、ＰＣＩＤ入力欄１５２ｂ及び部屋ＩＤ入力欄１５２ｃには、セキュリティシステム１００を利用者が利用する前に所定の情報を入力し、解錠許可セキュリティレベル入力欄１５２ｄには、セキュリティシステム１００の利用者が利用する前に解錠又は施錠を行う所望の条件となるように所定の情報を入力する。
【００６６】
アドレス情報テーブル１５３は、図６に示されているように、ＰＣＩＤ入力欄１５３ａと、アドレス入力欄１５３ｂと、を有している。
【００６７】
ＰＣＩＤ入力欄１５３ａには、前述したＰＣＩＤを入力する。
【００６８】
アドレス入力欄１５３ｂには、同じ行のＰＣＩＤ入力欄１５３ａに入力されているＰＣＩＤで特定されるクライアント端末１３０に関連させて管理する遠隔制御収納用具１２０のＩＰアドレスを入力する。
【００６９】
認証処理部１５４は、クライアント端末１３０からログイン情報が送信されてきた場合に、このログイン情報に含まれているＰＣＩＤ、ユーザ名及び暗証番号がログイン情報テーブル１５１に登録されているか否かを判定し、登録されている場合には、クライアント端末１３０に成功応答を送信し、登録されていない場合には、クライアント端末１３０に失敗応答を送信する。
【００７０】
遠隔制御部１５５は、入退室サーバ１４０から利用者の在室情報を取得して、遠隔制御収納用具１２０の電子錠１２１を遠隔制御する処理を行う。
【００７１】
具体的には、遠隔制御部１５５は、認証処理部１５４でクライアント端末１３０のログインが成功した場合には、このクライアント端末１３０のログイン情報に含まれるＰＣＩＤをキーとして後述する遠隔制御情報テーブル１５２を検索してユーザＩＤと部屋ＩＤを抽出して、在室情報確認要求として入退室サーバ１４０に送信する。
【００７２】
そして、入退室サーバ１４０から送られてくる在室情報を受信した場合には、その在室情報が在室を通知するものである場合には、その在室情報に含まれるユーザＩＤ及び部屋ＩＤと同じ行の遠隔制御情報テーブル１５２のセキュリティレベル入力欄１５２ｅに「本人在室」の情報を入力し、在室情報が退室を通知するものである場合には、その在室情報に含まれるユーザＩＤ及び部屋ＩＤと同じ行の遠隔制御情報テーブル１５２のセキュリティレベル入力欄１５２ｅに「不在」の情報を入力する。
【００７３】
また、入退室サーバ１４０からゲストが入室した旨を通知するゲスト入室情報を受信した場合には、そのゲスト入室情報に含まれる部屋ＩＤと同じ行の遠隔制御情報テーブル１５２のセキュリティレベル入力欄１５２ｅに「ゲスト入室」の情報を入力する。
【００７４】
さらに、入退室サーバ１４０からゲストが退室した旨を通知するゲスト退室情報を受信した場合には、そのゲスト退室情報に含まれる部屋ＩＤと同じ行の遠隔制御情報テーブル１５２のセキュリティレベル入力欄１５２ｅをそのゲストが入室する以前の状態に戻す。
【００７５】
そして、遠隔制御部１５５は、遠隔制御情報テーブル１５２のセキュリティレベル入力欄１５２ｅに「本人在室」を入力した場合又はゲストが退室しセキュリティレベル入力欄１５２ｅが「本人在室」に復帰した場合には、入力したセキュリティレベル入力欄１５２ａと同じ行のＰＣＩＤを抽出し、このＰＣＩＤに対応するＩＰアドレスをアドレス情報テーブル１５３から検索し、そのＩＰアドレスに電子錠１２１を解錠する解錠指令を送信する。
【００７６】
また、遠隔制御部１５５は、遠隔制御情報テーブル１５２のセキュリティレベル入力欄１５２ｅに「不在」を入力した場合には、入力したセキュリティレベル入力欄１５２ｅと同じ行の解錠許可セキュリティレベル入力欄１５２ｄを参照して、この入力欄１５２ｄに「不在」が入力されていない場合には、同じ行のＰＣＩＤを抽出し、このＰＣＩＤに対応するＩＰアドレスをアドレス情報テーブル１５３から検索し、そのＩＰアドレスに電子錠１２１を施錠する施錠指令を送信する。なお、解錠許可セキュリティレベル入力欄１５２ｄに「不在」が入力されている場合は、利用者が不在の場合でも施錠を行わない設定であるため、施錠指令を送信しない。
【００７７】
さらに、遠隔制御部１５５は、遠隔制御情報テーブル１５２のセキュリティレベル入力欄１５２ｅに「ゲスト入室」を入力した場合には、入力したセキュリティレベル入力欄１５２ｅと同じ行の解錠許可セキュリティレベル入力欄１５２ｄを参照して、この入力欄１５２ｄに「ゲスト許可」が入力されていない場合には、同じ行のＰＣＩＤを抽出し、このＰＣＩＤに対応するＩＰアドレスをアドレス情報テーブル１５３から検索し、そのＩＰアドレスに電子錠１２１を施錠する施錠指令を送信する。なお、解錠許可セキュリティレベル入力欄１５２ｄに「ゲスト許可」が入力されている場合は、ゲストが入室した場合でも施錠を行わない設定であるため、施錠指令を送信しない。
【００７８】
送受信部１５６は、ＬＡＮ１６０を介して情報の送受信を行う。
【００７９】
入力部１５７は、キーボードやマウスといった入力装置である。
【００８０】
表示部１５８は、ディスプレイなどの表示装置である。
【００８１】
なお、このように構成される認証サーバ１５０は、例えば、図８に示すようなコンピュータ２１０により実現可能である。即ち、認証処理部１５４及び遠隔制御部１５５は、ハードディスク等の補助記憶装置２１３に記憶されている所定のプログラムをメインメモリ２１２に読み込みＣＰＵ２１１で実行することにより実現可能であり、また、ログイン情報テーブル１５１、遠隔制御情報テーブル１５２及びアドレス情報テーブル１５３は、ハードディスク等の補助記憶装置２１３に所定の情報を記憶することにより実現可能であり、さらに、送受信部１５６は、ＮＩＣ２１４により実現可能である。
【００８２】
以上のように構成されるセキュリティシステム１００の全体的な処理手順を図９に示すシーケンス図で説明する。
【００８３】
まず、利用者１６１は、入室するために保有するＩＤカードに記憶されているユーザＩＤを第一のカードリーダ１１１Ａに読み取らせることで、ドア錠制御装置１１０にＩＤカードの提示を行う（３００）。
【００８４】
ドア錠制御装置１１０は、ＩＤカードから読み取ったユーザＩＤに部屋ＩＤを添付した入退室情報を生成し（３０１）、生成した入退室情報を入退室サーバ１４０に送信する（３０２）。
【００８５】
入退室サーバ１４０では、受信した入退室情報からユーザＩＤを抽出して、入退室管理テーブル１４１に登録されているか否かを判定することでユーザＩＤの検証を行い（３０３）、ユーザＩＤが入退室管理テーブル１４１に登録されている場合には、ドア錠の解錠指令をドア錠制御装置１１０に送信する（３０４）。
【００８６】
また、入退室サーバ１４０では、受信した入退室情報からユーザＩＤと部屋ＩＤを抽出して、在室情報管理テーブル１４２に登録を行う（３０５）。
【００８７】
ドア錠の解錠指令を受けたドア錠制御装置では、ドア錠の解錠を行い（３０６）、利用者１６１の入室を許可する。
【００８８】
入室した利用者１６１は、ユーザ名と暗証番号を入力部１３３及び表示部１３４を介して入力することにより、クライアント端末１３０にログイン指示を出す（３０７）。
【００８９】
ログイン指示を受けたクライアント端末１３０は、入力されたユーザ名と暗証番号にＰＣＩＤを添付したログイン要求を認証サーバ１５０に送信する（３０８）。なお、本実施形態では、ＬＤＡＰを用いた認証処理を行っているため、クライアント端末１３０から認証サーバ１５０に通知するＩＰアドレスをＰＣＩＤとして利用している。
【００９０】
ログイン要求を受けた認証サーバ１５０では、送信されてきたユーザ名、暗証番号及びＰＣＩＤがログイン情報テーブル１５１に登録されているか否かを判定することで検証を行い（３０９）、これらがログイン情報テーブル１５１に登録されている場合には、クライアント端末１３０に成功応答を送信する（３１０）。
【００９１】
また、認証サーバ１５０は、遠隔制御情報テーブル１５２からログイン要求で通知されたＰＣＩＤに対応するユーザＩＤと部屋ＩＤを抽出して、これらのＩＤを添付した在室情報確認要求を入退室サーバ１４０に送信する（３１１）。
【００９２】
在室情報確認要求を受信した入退室サーバ１４０は、在室情報管理テーブル１４２に在室情報確認要求に添付されたユーザＩＤと部屋ＩＤが登録されているか否かを判定して、登録されている場合には利用者が在室している旨を通知する在室情報を、一方、登録されていない場合には利用者が在室していない旨を通知する在室情報を、生成し（３１２）、生成した在室情報を認証サーバ１５０に送信する（３１３）。
【００９３】
認証サーバ１５０では、利用者が在室している旨を通知する在室情報を受信した場合には、ログイン要求で通知されたＰＣＩＤに対応するＩＰアドレスをアドレス情報テーブル１５３から抽出して、このＩＰアドレスにより特定される遠隔制御収納用具１２０に電子錠１２１の解錠指令を送信する（３１４）。
【００９４】
解錠指令を受けた遠隔制御収納用具１２０は、電子錠の解錠を行い（３１５）、利用者１６１は、遠隔制御収納用具１２０の内部の空間にアクセスすることができるようになる（３１６）。
【００９５】
また、利用者がクライアント端末１３０に入力部１３３及び表示部１３４を介してログアウト指示を出した場合には（３１７）、クライアント端末１３０は、ＰＣＩＤを添付したログアウト要求を認証サーバ１５０に送信する（３１８）。
【００９６】
ログアウト要求を受けた認証サーバ１５０では、ログアウト要求で通知されたＰＣＩＤに対応するＩＰアドレスをアドレス情報テーブル１５３から抽出して、このＩＰアドレスにより特定される遠隔制御収納用具１２０に施錠指令を送信する（３１９）。
【００９７】
施錠指令を受けた遠隔制御収納用具１２０は、電子錠の施錠を行う（３２０）。
【００９８】
そして、利用者１６１は、退室するために保有するＩＤカードに記憶されているユーザＩＤを第二のカードリーダ１１１Ｂに読み取らせることで、ドア錠制御装置１１０にＩＤカードの提示を行う（３２１）。
【００９９】
ドア錠制御装置１１０は、ＩＤカードから読み取ったユーザＩＤに部屋ＩＤを添付した入退室情報を生成し（３２２）、生成した入退室情報を入退室サーバ１４０に送信する（３２３）。
【０１００】
入退室サーバ１４０では、受信した入退室情報からユーザＩＤを抽出して、入退室管理テーブル１４１に登録されているか否かを判定することでユーザＩＤの検証を行い（３２４）、ユーザＩＤが入退室管理テーブル１４１に登録されている場合には、ドア錠の解錠指令をドア錠制御装置１１０に送信する（３２５）。
【０１０１】
また、入退室サーバ１４０では、受信した入退室情報からユーザＩＤと部屋ＩＤを抽出して、在室情報管理テーブル１４２に登録されているこれらのユーザＩＤと部屋ＩＤを検索し、検索されたユーザＩＤと部屋ＩＤを削除する（３２６）。
【０１０２】
ドア錠の解錠指令を受けたドア錠制御装置１１０では、ドア錠の解錠を行い（３２７）、利用者１６１の退室を許可する。
【０１０３】
また、入退室サーバ１４０は、ユーザＩＤと部屋ＩＤを添付した退室情報を認証サーバ１５０に送信する（３２８）。
【０１０４】
退室情報を受信した認証サーバ１５０は、退室情報に添付されているユーザＩＤと部屋ＩＤに対応するＰＣＩＤを遠隔制御情報テーブル１５２から抽出し、抽出したＰＣＩＤに対応するＩＰアドレスをアドレス情報テーブル１５３から取得して、このＩＰアドレスにより特定される遠隔制御収納用具１２０に電子錠１２１の施錠指令を送信する（３２９）。
【０１０５】
施錠指令を受けた遠隔制御収納用具１２０は、電子錠１２１の施錠を行う（３３０）。
【０１０６】
次に、入退室サーバ１４０における制御処理を図１０に示すフローチャートを用いて説明する。
【０１０７】
まず、入退室サーバ１４０は、待機状態にあるとする（Ｓ３４０）。
【０１０８】
そして、ＬＡＮ１６０を介して情報を受信した場合（Ｓ３４１）、受信した情報がドア錠制御装置１１０から送信された入退室情報であるときには（Ｓ３４２）、受信した入退室情報からユーザＩＤを抽出して、抽出されたユーザＩＤが入退室管理テーブル１４１のユーザＩＤ入力欄１４１ａに登録されているか否かを判定する（Ｓ３４３）。
【０１０９】
そして、入退室管理テーブル１４１のユーザＩＤ入力欄１４１ａに登録されている場合には（Ｓ３４３）、ドア錠の解錠指令をドア錠制御装置１１０に送信する（Ｓ３４４）。
【０１１０】
次に、入退室情報から抽出された部屋ＩＤが、ユーザＩＤに対応する部屋ＩＤ入力欄１４１ｂに一致するものがあるか否かを判定し、一致するものがある場合には（Ｓ３４５）、ユーザＩＤ及び部屋ＩＤが在室情報管理テーブル１４２に登録されているか否かを判定する（Ｓ３４６）。
【０１１１】
ユーザＩＤ及び部屋ＩＤが在室情報管理テーブル１４２に登録されている場合には（Ｓ３４６）、退室情報を認証サーバに送信する（Ｓ３４７）。
【０１１２】
ユーザＩＤ及び部屋ＩＤが在室情報管理テーブル１４２に登録されていない場合（Ｓ３４６）及び退室情報を認証サーバに送信した場合（Ｓ３４７）には、在室情報管理テーブル１４２の更新を行う（Ｓ３４８）。ここで、在室情報管理テーブル１４２の更新は、ユーザＩＤ及び部屋ＩＤが在室情報管理テーブル１４２に登録されていない場合（Ｓ３４６）には、ユーザＩＤ及び部屋ＩＤを在室情報管理テーブル１４２に登録するものであり、退室情報を認証サーバに送信した場合（Ｓ３４７）には、ユーザＩＤ及び部屋ＩＤを在室情報管理テーブル１４２から削除するものである。
【０１１３】
また、入退室情報から抽出された部屋ＩＤが、ユーザＩＤに対応する部屋ＩＤ入力欄１４１ｂに一致するものがない場合には（Ｓ３４５）、ユーザＩＤ及び部屋ＩＤが在室情報管理テーブル１４２に登録されているか否かを判定する（Ｓ３４９）。
【０１１４】
ユーザＩＤ及び部屋ＩＤが在室情報管理テーブル１４２に登録されている場合には（Ｓ３４９）、ユーザＩＤ及び部屋ＩＤを添付したゲストの退室情報を認証サーバに送信する（Ｓ３５０）。
【０１１５】
ユーザＩＤ及び部屋ＩＤが在室情報管理テーブル１４２に登録されていない場合（Ｓ３４９）には、ユーザＩＤ及び部屋ＩＤを添付したゲストの入室情報を認証サーバに送信する（Ｓ３５１）。
【０１１６】
そして、前述と同様に、在室情報管理テーブル１４２の更新を行う（Ｓ３４８）。
【０１１７】
なお、入退室情報から抽出されたユーザＩＤが入退室管理テーブル１４１に登録されていない場合には（Ｓ３４３）、認証エラーをドア錠制御装置１１０に送信する（Ｓ３５２）。
【０１１８】
また、ステップＳ３４１で受信した情報が入退室情報ではなく（Ｓ３４２）、在室情報確認要求である場合には（Ｓ３５３）、在室情報確認要求に添付されているユーザＩＤと部屋ＩＤが入退室管理テーブル１４１に登録されているかいなかを判定する（Ｓ３５４）。
【０１１９】
ユーザＩＤと部屋ＩＤが入退室管理テーブル１４１に登録されている場合には（Ｓ３５４）、在室情報管理テーブル１４２にユーザＩＤと部屋ＩＤが登録されているかいないかを判定し（Ｓ３５５）、登録されている場合には（Ｓ３５５）、利用者が在室している旨を通知する在室情報を認証サーバ１５０に送信し（Ｓ３５６）、登録されていない場合には（Ｓ３５５）、利用者が在室していない旨を通知する在室情報を認証サーバ１５０に送信する（Ｓ３５７）。
【０１２０】
なお、ユーザＩＤと部屋ＩＤが入退室管理テーブル１４１に登録されていない場合には、失敗応答を認証サーバ１５０に送信する等のエラー処理を行う（Ｓ３５８）。
【０１２１】
また、ステップＳ３４１で受信した情報が入退室情報ではなく（Ｓ３４２）、在室情報確認要求でもない場合には（Ｓ３５３）、受信した情報を廃棄する等のエラー処理を行う（Ｓ３５９）。
【０１２２】
次に、認証サーバ１５０における制御処理を図１１に示すフローチャートを用いて説明する。
【０１２３】
まず、認証サーバ１５０は、待機状態にあるとする（Ｓ３６０）。
【０１２４】
そして、情報を受信した場合（Ｓ３６１）、それがログイン要求であるときには（Ｓ３６２）、送信されてきたＰＣＩＤ、ユーザ名及び暗証番号がログイン情報テーブル１５１に登録されているか否かを確認することで、ログインの成否を判定する（Ｓ３６３）。
【０１２５】
ログインが成功しなかった場合には（Ｓ３６３）、クライアント端末１３０に失敗応答を送信し（Ｓ３６４）、ステップＳ３６０の待機状態に戻る。
【０１２６】
ログインに成功した場合には（Ｓ３６３）、在室情報確認要求を入退室サーバ１４０に送信する（Ｓ３６５）。
【０１２７】
ステップＳ３６１で受信した情報が、ログイン要求ではなく（Ｓ３６２）、在室情報である場合には（Ｓ３６６）、この在室情報が在室していることを通知する在室情報である場合には（Ｓ３６７）、遠隔制御情報テーブル１５２のセキュリティレベル入力欄１５２ｅを「本人在室」にして（Ｓ３６８）、ステップＳ３６９に進む。
【０１２８】
一方、在室情報が在室していないことを通知する在室情報である場合には（Ｓ３６７）、遠隔制御情報テーブル１５２のセキュリティレベル入力欄１５２ｅを「不在」にして（Ｓ３７０）、ステップＳ３６９に進む。
【０１２９】
また、ステップＳ３６１で受信した情報が、ログアウト要求である場合には（Ｓ３７１）、遠隔制御情報テーブル１５２のセキュリティレベル入力欄１５２ｅを「不在」にして（Ｓ３７０）、ステップＳ３６９に進む。
【０１３０】
また、ステップＳ３６１で受信した情報が、ゲストの入室情報である場合には（Ｓ３７２）、遠隔制御情報テーブル１５２のセキュリティレベル入力欄１５２ｅを「ゲスト入室」にして（Ｓ３７３）、ステップＳ３６９に進む。
【０１３１】
さらに、ステップＳ３６１で受信した情報が、ゲストの退室情報である場合には（Ｓ３７４）、遠隔制御情報テーブル１５２のセキュリティレベル入力欄１５２ｅをゲストの入室以前の状態に戻し（Ｓ３７５）、ステップＳ３６９に進む。
【０１３２】
一方、ステップＳ３６１で受信した情報が、ログイン要求ではなく（Ｓ３６２）、在室情報でもなく（Ｓ３６６）、ログアウト要求でもなく（Ｓ３７１）、ゲスト入室情報でもなく（Ｓ３７２）、ゲスト退室情報でもない場合には（Ｓ３７４）、受信した情報を破棄する等のエラー処理を行う（Ｓ３７６）。
【０１３３】
ステップＳ３６９では、それぞれの遠隔制御収納用具１２０に対して、遠隔制御情報テーブル１５２の解錠許可セキュリティレベル入力欄１５２ｄに応じた処理を行う。
【０１３４】
具体的には、ステップＳ３６８で遠隔制御情報テーブル１５２のセキュリティレベル入力欄１５２ｅに「本人在室」を登録した場合又はステップＳ３７５でゲストが退室しセキュリティレベル入力欄１５２ｅが「本人在室」に復帰した場合には、登録したセキュリティレベル入力欄１５２ｅと同じ行のＰＣＩＤを抽出し、このＰＣＩＤに対応するＩＰアドレスを後述するアドレス情報テーブル１５３から検索し、そのＩＰアドレスに電子錠１２１を解錠する解錠指令を送信する。
【０１３５】
また、ステップＳ３７０で遠隔制御情報テーブル１５２のセキュリティレベル入力欄１５２ｅに「不在」を登録した場合には、登録したセキュリティレベル入力欄１５２ｅと同じ行の解錠許可セキュリティレベル入力欄１５２ｄを参照して、この入力欄１５２ｄに「不在」が入力されていないときには、同じ行のＰＣＩＤを抽出し、このＰＣＩＤに対応するＩＰアドレスをアドレス情報テーブル１５３から検索し、そのＩＰアドレスに電子錠１２１を施錠する施錠指令を送信する。一方、この入力欄１５２ｄに「不在」が入力されているときには、この段階で遠隔制御収納用具１２０に情報を送信しない。
【０１３６】
さらに、ステップＳ３７３で遠隔制御情報テーブル１５２のセキュリティレベル入力欄１５２ｅに「ゲスト入室」を登録した場合には、登録したセキュリティレベル入力欄１５２ｅと同じ行の解錠許可セキュリティレベル入力欄１５２ｄを参照して、この入力欄１５２ｄに「ゲスト許可」が入力されていないときには、同じ行のＰＣＩＤを抽出し、このＰＣＩＤに対応するＩＰアドレスをアドレス情報テーブル１５３から検索し、そのＩＰアドレスに電子錠１２１を施錠する施錠指令を送信する。一方、この入力欄１５２ｄに「ゲスト許可」が入力されているときには、この段階で遠隔制御収納用具１２０に情報を送信しない。
【０１３７】
以上のように、本実施形態によれば、クライアント端末１３０の利用者の入退室に応じて、遠隔制御収納用具１２０の電子錠１２１の開閉を行うことができる。また、クライアント端末１３０が設置されている部屋に通常入室しないゲストが入室した場合にも、遠隔制御収納用具１２０の電子錠１２１を施錠することができる。
【０１３８】
以上に記載した実施形態においては、ゲストが退室した後に、このゲストが入室した以前の状態に戻すようにしているが、このような態様に限定されず、例えば、クライアント端末１３０の利用者が、ネットワーク１６０を介して認証サーバ１５０にアクセスし、遠隔制御情報テーブル１５２のセキュリティレベル入力欄１５２ｅに「本人在室」又は「不在」の情報を入力するようにすることも可能である。
【０１３９】
また、ゲストが入室した後の、利用者の入退室に関する情報を認証サーバ１５０でキャッシュしておき、ゲストが退室した後にキャッシュしておいた最新の情報をセキュリティレベル入力欄１５２ｅに入力するようにしてもよい。
【０１４０】
さらに、本実施形態では、入退室サーバ１４０と認証サーバ１５０とを別個のサーバで構成したが、これらを一つのサーバで構成することも可能である。
【０１４１】
また、本実施形態では、利用者がログアウトした場合に電子錠１２１を施錠するようにしているが、利用者がクライアント端末の電源を落とした場合に、電子錠１２１を施錠するようにしてもよい。
【０１４２】
また、本実施形態では、利用者が保持するＩＤカードに記憶されているユーザＩＤを読み取る第一のカードリーダ１１１Ａ及び第二のカードリーダ１１１Ｂを用いているが、利用者を識別することができるものであればどのようなものであってもよく、例えば、利用者の指紋、虹彩、顔、サイン、声帯、掌形、手のひらの静脈パターン等、を読み取って利用者を識別してもよい。このような場合には、ドア錠制御装置１１０又は入退室サーバ１４０にこれらの情報とユーザＩＤとを対応付けたテーブルを備えておくことで、利用者毎のユーザＩＤを取得することができる。
【図面の簡単な説明】
【０１４３】
【図１】セキュリティシステム１００の概略図。
【図２】入退室管理テーブル１４１の概略図。
【図３】在室情報管理テーブル１４２の概略図。
【図４】ログイン情報テーブル１５１の概略図。
【図５】遠隔制御情報テーブル１５２の概略図。
【図６】アドレス情報テーブル１５３の概略図。
【図７】コンピュータ２００の概略図。
【図８】コンピュータ２１０の概略図。
【図９】セキュリティシステム１００の全体的な処理手順を示すシーケンス図。
【図１０】入退室サーバ１４０における制御処理を示すフローチャート。
【図１１】認証サーバ１５０における制御処理を示すフローチャート。
【符号の説明】
【０１４４】
１００  セキュリティシステム
１１０  ドア錠制御装置
１１１  カードリーダ
１２０  遠隔制御収納用具
１３０  クライアント端末
１４０  入退室サーバ
１５０  認証サーバ
１６０  ＬＡＮ
【図１】
0004590342.tif 000002
【図２】
0004590342.tif 000003
【図３】
0004590342.tif 000004
【図４】
0004590342.tif 000005
【図５】
0004590342.tif 000006
【図６】
0004590342.tif 000007
【図７】
0004590342.tif 000008
【図８】
0004590342.tif 000009
【図９】
0004590342.tif 000010
【図１０】
0004590342.tif 000011
【図１１】
0004590342.tif 000012